(57)【要約】【課題】ヘッドのヘッドピンがペーパーを打つ時の騒音発生を防止する吸音部材を有し、プラテンと前記ヘッドとの間の隙間を調整する調節ネジが備えられてペーパーの印字に当たって生じる騒音を改善すると共に、ヘッドとプラテンとの間の離隔距離を適正に調節できるミニプリンタを提供すること。【解決手段】 ヘッド１３を移送させるリードカムとガイド軸を一体化させて構成が簡単であり、プラテン３３とリードカムとの間にプリンタ時に生じる紙粉への対策としてフェンスが設けられるミニプリンタ。【選択図】図６
2005324534.tif 000002
【特許請求の範囲】
【請求項１】
ペーパーに印字を行うヘッドと、前記ヘッドのヘッドピンがペーパーを打つべく前記ヘッドとの向かい側に設けられるプラテン部材と、を有するペーパー印字装置において、 
前記プラテン部材は、
前面に長方形の溝が形成されたプラテン胴体と、
所定の弾性を有し、前記溝に嵌合される吸音部材と、
前記吸音部材を覆うべく前記プラテン胴体の溝に結合されるプラテンと、
前記プラテンを前記プラテン胴体に結合させ、前記プラテンの結合深さを調節することにより、前記プラテンと前記ヘッドとの間の隙間を調整する調節ネジと、を備えることを特徴とするペーパー印字装置。 
【請求項２】
ペーパーをフィーディングするフィーディング装置と、
前記ペーパーに印字を行うヘッドと、
前記ヘッドが取り付けられるヘッドキャリッジと、
前記ヘッドキャリッジを左右に移動させるべく前記ヘッドキャリッジの突起が嵌合される溝が外周縁に形成されるリードカムと、 
前記リードカムを回転させるための駆動モータと、
前記駆動モータの回転速度を減らすための減速ギア列と、
前記ヘッドに電気的な信号を伝送するためのプリント回路基板と、 
前記ヘッドの前面に設けられるプラテン部材と、を備えてなり、 
前記プラテン部材は、前面に長方形の溝が形成されたプラテン胴体と、
所定の弾性を有し、前記溝に嵌合される吸音部材と、
前記吸音部材を覆うべく前記プラテン胴体の溝に結合されるプラテンと、
前記プラテンを前記プラテン胴体に結合させ、前記プラテンの結合深さを調節することにより、前記プラテンと前記ヘッドとの間の隙間を調整する調節ネジと、を備えることを特徴とするミニプリンタ。 
【請求項３】
前記ヘッドキャリッジには、前記リードカムが嵌合されて往復動自在なガイドホールが形成され、前記リードカムが前記ヘッドキャリッジの移送をガイドすることを特徴とする請求項２に記載のミニプリンタ。 
【請求項４】
前記プラテン部材とリードカムとの間には、紙粉がリードカムに落ちることを防止するためのフェンスが設けられることを特徴とする請求項２に記載のミニプリンタ。
【発明の詳細な説明】
【技術分野】
【０００１】
本発明は、ミニプリンタに係り、より詳細には、ペーパーに商品名や値段などをプリントする印字装置において生じる騒音を改善すると共に、ヘッドとプラテンとの離隔距離を適正に調節可能な手段を備えて構造を単純化させられるミニプリンタに関する。 
【背景技術】
【０００２】
通常、ミニプリンタは、商品名や値段などが印字されたレシートをプリントするために使われるものであって、大きくペーパーをローディングして移動させるローディング装置と、ペーパーに商品名や値段などをプリントする印字装置と、を備えてなる。 
【０００３】
図１は、従来のミニプリンタを示す斜視図であり、クレジットカードの伝票印刷向けのミニプリンタの一例を示している。 
【０００４】
図１に示すように、従来のミニプリンタは、プリンタ本体１の先端部に結合されてペーパーをローディングするための下部ペーパーガイド ２と、前記下部ペーパーガイド２と所定の間隔だけ離れてそれらの間にペーパーを挟持可能に設けられる上部ペーパーガイド３と、前記下部ペーパーガイド ２と上部ペーパーガイド３との間に挟持されたペーパーをフィーディングするためのペーパーフィーディングモータ４と、前記ペーパーフィーディングモータ４の回転速度を減らすペーパーフィーディング減速ギア列５と、前記ペーパーフィーディング減速ギア列５に軸結合されて回転し、両側にスプロケットホイールl７が嵌め付けられた回転軸６と、ペーパーに印字を行うヘッド９が取り付けられるヘッドキャリッジ９ａと、前記ヘッドキャリッジ９ａの突起（図示せず）が嵌合さるべくその外周縁には溝１０ａが長く形成され、駆動モータ８からの回転力を受けて回転されつつ前記ヘッドキャリッジ９ａを左右に移動させるリードカム１０と、を備えてなる。 
【０００５】
かかる構成を有した従来のミニプリンタは、プリント指令を受け付ければ前記駆動モータ８が回転され始め、前記モータ８の回転力がギア部材（図示せず）を経て前記リードカム１０に伝達され、その結果、前記リードカム１０が所定の方向に回転する。 
【０００６】
前記リードカム１０の回転によってヘッドキャリッジ９ａの突起がリードカム１０の溝１０ａに沿って側方に移動され、その結果、ヘッドキャリッジ９ａが側方に移動される。
【０００７】
これにより、ヘッド９が側方に移動されつつ基板Ｂから電気的な信号を受ければ、ヘッドピン（図示せず）が飛び出されてペーパーを打つことにより、印字を行う。 
【０００８】
前記の如き従来のミニプリンタのメカニズムは、前記ヘッド９がインパクトドットヘッドであるため、印字に当たって打ち音が鳴ってしまう。 
【０００９】
図２は、従来のミニプリンタのプラテンとヘッドを示す分解斜視図である。これを参照すれば、従来には、鉄板よりなるプラテン２１に直接的にヘッド９が打つため、印字に当たって騒音が出るのである。特に、従来のようにプラテン２１が単なる鉄板よりなる場合、打ち音が激しくて周りに騒音公害を引き起こすといった問題点があった。 
【００１０】
また、プラテン２１とヘッド９との間の隙間は、通常０．４〜０．６ｍｍに保たれるが、従来のミニプリンタには、プラテン２１とヘッド９との間の隙間を調節するためのヘッド隙間調節レバー２２が別途のメカニズムとして用意されている。 
【００１１】
前記ヘッド隙間調節レバー２２は、図３に示すように、前記ヘッドキャリッジ９ａをガイドするガイド軸２３の両端に嵌め付けられ、カム構造であるため、ガイド軸２３の両端に嵌め付けられている２つのヘッド隙間調節レバー２２を同時に回せば、前記ガイド軸２３が前後方向に僅かに移動可能になる仕組みである。 
【００１２】
かかる従来の技術の場合、前記ヘッド隙間調節レバー２２を用いて前記ガイド軸２３を移動させることにより、ヘッド９とプラテン２１との間の隙間を０．４〜０．６ｍｍにした後、この間隔が保たれるべく組立者が前記ヘッド隙間調節レバー２２をボンディングにより固定する必要があり、組立てに難点があった。 
【００１３】
また、従来のミニプリンタは、前記ヘッド９を移送するためのリードカム１０とは別途にガイド軸２３が設けられていた。
【００１４】
図４は、従来のミニプリンタのリードカムとヘッド間の結合構造を示す側面図である。
【００１５】
図３及び図４を参照すれば、前記ガイド軸２３は、ヘッドキャリッジ９ａの下部に形成された軸結合管２４に軸設されており、前記リードカム１０は、外周面に形成された溝１０ａにヘッドキャリッジ９ａの突起９ｂがはめ込まれて前記リードカム１０が回転すれば、 ヘッドキャリッジ９ａの突起がリードカム１０の溝１０ａに沿って側方に移動することにより、結果としてヘッドキャリッジ９ａを移動させる。 
【００１６】
かかる従来のミニプリンタは、ヘッド９を移送させるための別途のガイド軸２３が設けられる仕組みであるため、ヘッドキャリッジ９ａ及びミニプリンタが大型化するといった欠点があった。 
【００１７】
さらに、従来のミニプリンタは、ヘッド９が飛び出されてペーパーに印字を行うときに紙粉が生じれば、紙粉がリードカム１０に落ちてリードカム１０の動作を妨げる恐れがあるため、これを防止できる工夫が望まれる。 
【発明の開示】
【発明が解決しようとする課題】
【００１８】
本発明は、前記の如き事情に鑑みてなされたものであり、その目的は、ヘッドの打ち音を最大限に吸収して印字騒音を改善すると同時に、ヘッドとプラテン間の離隔距離を適正に調節できる装置を備えることにより、騒音を改善することはもとより、構造の単純化及び組立ての容易さを両立できるミニプリンタを提供するところにある。 
【００１９】
また、本発明の他の目的は、ミニプリンタのヘッドを移送させるためのメカニズムを単純化させて装置のコンパクト化を図ることのできるミニプリンタを提供するところにある。
【００２０】
さらにまた、本発明のさらに他の目的は、紙粉がリードカムに落ちることを防止するミニプリンタを提供するところにある。 
【００２１】
これら本発明の目的は、この技術分野における当業者によって、添付された図面に基づき後述する本発明の好適な実施の形態から一層明らかになる。
【課題を解決するための手段】
【００２２】
前記目的を達成するために、本発明からは、ペーパーへの印字を行うヘッドと、前記ヘッドのヘッドピンがペーパーを打つべく前記ヘッドとの向かい側に設けられるプラテン部材と、を有するペーパー印字装置において、 前記プラテン部材は、前面に長方形の溝が形成されたプラテン胴体と、所定の弾性を有し、前記溝に嵌合される吸音部材と、前記吸音部材を覆うべく前記プラテン胴体の溝に結合されるプラテンと、前記プラテンを前記プラテン胴体に結合させ、前記プラテンの結合深さを調節することにより、前記プラテンと前記ヘッドとの間の隙間を調整する調節ネジと、を備えるペーパー印字装置が提供される。 
【００２３】
また、前記目的を達成するために、本発明のミニプリンタは、ペーパーをフィーディングするフィーディング装置と、前記ペーパーに印字を行うヘッドと、前記ヘッドが取り付けられるヘッドキャリッジと、前記ヘッドキャリッジを左右に移動させるべく前記ヘッドキャリッジの突起が嵌合される溝が外周縁に形成されるリードカムと、前記リードカムを回転させるための駆動モータと、前記駆動モータの回転速度を減らすための減速ギア列と、前記ヘッドに電気的な信号を伝送するためのプリント回路基板と、前記ヘッドの前面に設けられるプラテン部材と、を備えてなり、前記プラテン部材は、前面に長方形の溝が形成されたプラテン胴体と、所定の弾性を有し、前記溝に嵌合される吸音部材と、前記吸音部材を覆うべく前記プラテン胴体の溝に結合されるプラテンと、前記プラテンを前記プラテン胴体に結合させ、前記プラテンの結合深さを調節することにより、前記プラテンと前記ヘッドとの間の隙間を調整する調節ネジと、を備える。 
【００２４】
ここで、前記ヘッドキャリッジには、前記リードカムが嵌合されて往復動自在なガイドホールが形成されることにより、前記リードカムが前記ヘッドキャリッジの移送をガイドすることができる。 
【００２５】
さらに、前記プラテン部材とリードカムとの間には、紙粉がリードカムに落ちることを防止するためのフェンスが設けられる。
【発明の効果】
【００２６】
本発明に係る、騒音緩衝構造を有するペーパー印字装置及びこれを備えたミニプリンタは、プラテンの背面に弾性体である吸音部材を設けることにより、ペーパーへの印字に当たってインパクト騒音を減らせる。 
【００２７】
実際に、従来のミニプリンタの場合、騒音の大きさが７１ｄＢであったのに対し、本発明のミニプリンタは、騒音の大きさが６５ｄＢと測定された。 
【００２８】
また、プラテンを設ける調節ネジを用いてヘッドとプラテンとの間の隙間を容易に調節することにより、別途の調節装置を設ける必要がなくなり、装置の単純化を図ることができる。 
【００２９】
さらに、リードカムとガイド軸を一体に構成することにより、構成が簡単になり、ペーパーへの印字に当たって紙粉が生じても、紙粉がリードカムに落ちることを極力抑えてリードカムの動作を円滑に行えるメリットがある。
【発明を実施するための最良の形態】
【００３０】
以下、添付した図面に基づき、本発明の騒音緩衝構造を有するペーパー印字装置及びこれを備えたミニプリンタについて説明する。 
【００３１】
図５は、本発明の一実施の形態によるミニプリンタを示す斜視図である。これを参照すれば、本発明の一実施の形態によるミニプリンタは、プリンタ本体１１と、前記プリンタ本体１１の先端部に結合されてペーパーをローディングするための下部ペーパーガイド１２と、前記下部ペーパーガイド１２の上部に載置される上部ペーパーガイドアセンブリ２０と、ペーパーに印字を行うヘッド１３が取り付けられるヘッドキャリッジ１３ａと、前記ヘッドキャリッジ１３ａの突起（図示せず）が嵌合自在にその外周縁には溝１５ａが長く形成され、駆動モータ１４からの回転力を受けて回転されつつ前記ヘッドキャリッジ１３ａを左右に移動させるリードカム１５と、を備えてなる。 
【００３２】
前記ヘッド１３の向かい側には、ヘッド１３のヘッドピンがペーパーを打つべくプラテン部材が設けられている。 
【００３３】
本発明に係るプラテン部材は、図６に示すように、前面に長方形の溝３１ａが形成されたプラテン胴体３１と、所定の弾性を有し、前記溝３１ａに嵌合される吸音部材３２と、前記吸音部材３２を覆うべく前記プラテン胴体３１の溝３１ａに結合されるプラテン３３と、前記プラテン３３を前記プラテン胴体３１に結合させ、前記プラテン３３の結合深さを調節することにより、前記プラテン３３と前記ヘッド１３との間の隙間を調整する調節ネジ３４と、を備える。 
【００３４】
前記調節ネジ３４は、前記プラテン３３の両端に設けられることが好ましく、前記吸音部材３２とプラテン３３には、前記調節ネジ３４が通過自在にホール３２ａ，３３ａが形成され、前記プラテン胴体３１には、前記調節ネジ３４が締結自在に雌ネジホール３１ｂが形成される。 
【００３５】
かかる本発明のプラテン部材３０は、前記調節ネジ３４を前記吸音部材３２とプラテン３３の両側に形成されているホール３２ａ，３３ａを通過させてプラテン胴体３１に形成されている雌ネジホール３１ｂに締め付けることにより結合される。 
【００３６】
このとき、前記プラテン胴体３１とプラテン３３との間には、弾性体である前記吸音部材３２が位置しているため、前記調節ネジ３４の締め緩めにより、プラテン３３の位置がやや変わることがあり、その結果、プリンタ本体の一定の位置に固定されているヘッド１３に対して適切な隙間を保持できる。 
【００３７】
すなわち、前記調節ネジ３４の締付け量を調節することにより、プラテン３３とヘッド１３との間の隙間を０．４〜０．６ｍｍに手軽に調節できるため調節方法が極めて容易であり、かつ、従来より使われてきた別途の調節レバーが不要になるため、装置を単純化できるといったメリットがある。 
【００３８】
さらに、かかる本発明のプラテン部材３０には弾性体である前記吸音部材３２が取り付けられているため、ペーパーへの印字に当たってヘッド１３の打ち音を緩衝させて印字による騒音を吸収するため、従来の騒音問題を解決することができる。 
【００３９】
また、本発明のミニプリンタは、図７及び図８に示すように、前記ヘッドキャリッジ１３ａを往復動させるため、前記ヘッドキャリッジ１３ａにリードカム１５が挿入可能なガイドホール１３ｃが挿通される。 
【００４０】
前記ガイドホール１３ｃの内部には、リードカム１５の溝１５ａに嵌め込まれる突起１３ｂが形成されて前記リードカム１５が回転すれば、この回転につれて前記突起１３ｂが側方に移動され、その結果、ヘッドキャリッジ１３ａが側方に移動される。 
【００４１】
すなわち、従来の技術においては、リードカムとは別途にガイド軸が備えられてヘッドキャリッジの移送をガイドしていたが、本発明においては、ガイド軸と前記リードカム１５を一体化させて前記リードカム１５にガイド軸の役割を持たせたのである。このため、構成部品の数を減らして構成を単純化でき、しかも装置を小さくして装置のコンパクト化を図ることができる。 
【００４２】
さらに、前記プラテン部材３０とリードカム１５との間には、別途のフェンス４０が設けられる。 
【００４３】
前記フェンス４０は、ペーパーへの印字に当たって紙粉がリードカム１５に落ちることを防止するためのものである。このようなフェンス４０を設けることにより、ペーパーに印字を行う時に紙粉が生じても、紙粉がリードカム１５に落ちることを極力抑えてリードカム１５をして円滑な動作を行わせられる。 
【００４４】
以上、本発明の具体的な実施の形態について説明したが、本発明はこれに限定されることなく、本発明の範囲を免脱しない限り各種の変形を行うことができる。よって、本発明の範囲は上記実施の形態により定まるものではなく、特許請求の範囲及びそれと均等なものによって定まるべきである。
【図面の簡単な説明】
【００４５】
【図１】従来のミニプリンタを示す斜視図。
【図２】従来のミニプリンタのプラテンおよびヘッドを示す分解斜視図。
【図３】従来のミニプリンタのリードカムとヘッド間の結合構造を示す要部斜視図。
【図４】従来のミニプリンタのリードカムとヘッド間の結合構造を示す側断面図。
【図５】本発明に係るミニプリンタの一実施の形態を示す斜視図。
【図６】本発明のミニプリンタの騒音緩衝装置を示す分解斜視図。
【図７】本発明のリードカムとヘッド間の結合構造を示す側断面図。
【図８】本発明のミニプリンタのリードカムとヘッド間の結合構造を示す要部斜視図。
【符号の説明】
【００４６】
１１ : プリンタ本体                 １２ : 下部ペーパーガイド
１３ : ヘッド                       １３ａ : ヘッドキャリッジ 
１３ｂ : 突起                       １３ｃ : ガイドホール 
１４ : 駆動モータ                   １５ : リードカム 
１５ａ : 溝                         ２０ : 上部ペーパーガイドアセンブリ
３１ : プラテン胴体                 ３１ａ : 溝 
３１ｂ : 雌ネジホール               ３２ : 吸音部材 
３３ : プラテン                     ３２ａ，３３ａ : ホール 
３４ : 調節ネジ                     ４０ : フェンス 
【図１】
2005324534.tif 000003
【図２】
2005324534.tif 000004
【図３】
2005324534.tif 000005
【図４】
2005324534.tif 000006
【図５】
2005324534.tif 000007
【図６】
2005324534.tif 000008
【図７】
2005324534.tif 000009
【図８】
2005324534.tif 000010